(57)【特許請求の範囲】
【請求項１】
（Ａ）成分：下記一般式（Ｉ）で表される化合物と、
（Ｂ）成分：前記（Ａ）成分を除くノニオン界面活性剤２５〜５５質量％と、
（Ｃ）成分：カチオン界面活性剤と、
を含有する繊維製品用の液体洗浄剤。
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数３のアルキレン基であり、ｍは、１〜５の数であり、Ｒ３は、炭素数１〜２２のアルキル基、フェニル基又はベンジル基である。］
【請求項２】
（Ｄ）成分：アニオン界面活性剤を含有する請求項１に記載の繊維製品用の液体洗浄剤。
【請求項３】
（Ｃ）成分／（Ａ）成分で表される質量比が、０．１〜５である、請求項１又は２に記載の繊維製品用の液体洗浄剤。
【請求項４】
（Ｄ）成分／（Ｃ）成分で表される質量比が１未満の場合、（Ｄ）成分／（Ａ）成分で表される質量比は０．５〜５であり、
（Ｄ）成分／（Ｃ）成分で表される質量比が１以上３未満の場合、［（Ｃ）成分＋（Ｄ）成分］／（Ａ）成分で表される質量比は０．５〜２０であり、
（Ｄ）成分／（Ｃ）成分で表される質量比が３以上の場合、（Ｃ）成分／（Ａ）成分で表される質量比は０．２〜１０である、請求項２に記載の繊維製品用の液体洗浄剤。
【発明の詳細な説明】
【技術分野】
【０００１】
本発明は、繊維製品用の液体洗浄剤に関する。
【背景技術】
【０００２】
繊維製品用の洗浄剤等の日用品分野では、地球環境に配慮した製品開発が求められている。例えば、容器を小型化することで、物流におけるエネルギー削減やゴミの減量を図っている。
また、近年、ドラム式洗濯機の普及等から、洗濯における浴比（被洗浄物に対する洗浄液の割合）の低下が進んでおり、洗浄剤には、洗浄力が高いことに加えて、洗濯一回当たりの使用量が少ないこと、すすぎに必要な水の使用量が少なくて済むこと等も望まれている。
こうした要求に対して、液体洗浄剤分野では、界面活性剤濃度を高めた組成（濃縮化）の開発が進められている。
【０００３】
液体洗浄剤の濃縮化に当たっては、洗浄力と液安定性との観点から、ポリオキシアルキレンアルキルエーテル等のノニオン界面活性剤を主要な洗浄成分として用いることが多い。ポリオキシアルキレンアルキルエーテル等のノニオン界面活性剤は、脱脂力が強く、被洗浄物である衣料に付着した皮脂汚れ等を洗浄するのに有効である。
また、液体洗浄剤としては、高い洗浄力に加えて、被洗浄物に柔軟性を付与できる作用（柔軟化作用）を備えたものが提案されている。
例えば、特定の非イオン界面活性剤と、陰イオン界面活性剤と、陽イオン界面活性剤とを特定の比率で含有する液体洗浄剤組成物が提案されている（特許文献１）。特許文献１の発明によれば、良好な洗浄力、柔軟化作用、良好な保存安定性の達成を図っている。
【先行技術文献】
【特許文献】
【０００４】
【特許文献１】特開２０１０−２６５４４５号公報
【発明の概要】
【発明が解決しようとする課題】
【０００５】
しかしながら、繊維製品用の液体洗浄剤には、さらに優れた柔軟化作用が求められている。特に、低い浴比で被洗浄物を洗浄した場合、従来の液体洗浄剤では柔軟化作用が十分に発揮できないことがあった。
そこで、本発明は、浴比が低くても、柔軟化作用に優れた繊維製品用の液体洗浄剤を目的とする。
【課題を解決するための手段】
【０００６】
本発明の繊維製品用の液体洗浄剤は、（Ａ）成分：下記一般式（Ｉ）で表される化合物と、（Ｂ）成分：前記（Ａ）成分を除くノニオン界面活性剤と、（Ｃ）成分：カチオン界面活性剤と、を含有することを特徴とする。
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］
さらに、（Ｄ）成分：アニオン界面活性剤を含有することが好ましい。
【発明の効果】
【０００７】
本発明の繊維製品用の液体洗浄剤によれば、浴比が低くても優れた柔軟化作用を発揮できる。
【発明を実施するための形態】
【０００８】
（繊維製品用の液体洗浄剤）
本発明の繊維製品用の液体洗浄剤（以下、単に液体洗浄剤ということがある）は、（Ａ）成分：下記一般式（Ｉ）で表される化合物（以下、化合物（Ｉ）ということがある）と、（Ｂ）成分：前記（Ａ）成分を除くノニオン界面活性剤と、（Ｃ）成分：カチオン界面活性剤とを含有するものである。
【０００９】
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］
【００１０】
液体洗浄剤の粘度（２５℃）は、特に限定されないが、１０〜３００ｍＰａ・ｓであることが好ましい。粘度が上記範囲内であれば、液体洗浄剤を計量する際の取り扱いが良好である。
なお、液体洗浄剤の粘度は、Ｂ型粘度計（ＴＯＫＩＭＥＣ社製）により測定される値（測定条件：ロータＮｏ．２、回転数３０ｒｐｍ、１０回転後の粘度）を示す。
【００１１】
液体洗浄剤のｐＨ（２５℃）は、特に限定されないが、４〜９が好ましく、６〜９がより好ましい。ｐＨが上記範囲内であれば、被洗浄物に塗布した際の洗浄力を向上できる。ｐＨ（２５℃）は、ｐＨメーター（ＨＭ−３０Ｇ、東亜ディーケーケー株式会社製）等により測定される値である。
【００１２】
＜（Ａ）成分：化合物（Ｉ）＞
（Ａ）成分は、上記一般式（Ｉ）で表される化合物である。液体洗浄剤は、（Ａ）成分を含有することで、被洗浄物への（Ｃ）成分の吸着を促進し、柔軟化作用を高められる。柔軟化作用を高められる理由は定かではないが、（Ａ）成分は（Ｃ）成分の疎水部に作用して結合することで、（Ｃ）成分を被洗浄物により吸着しやすくすると考えられる。このため、低い浴比（即ち、被洗浄物に対する（Ｃ）成分が少ない条件下）でも、優れた柔軟化作用を発揮できる。
加えて、液体洗浄剤は、（Ｃ）成分の含有量が少なくても良好な柔軟化作用を発揮できるため、（Ｃ）成分に由来する臭気が被洗浄物に吸着するのを防止できる。
さらに、（Ａ）成分は、溶剤として機能して、（Ｂ）成分や（Ｃ）成分やその他の界面活性剤のゲル化領域を小さくする。そして、液体洗浄剤、特に濃縮化された液体洗浄剤の液安定性を高められる。
【００１３】
（Ｉ）式中、Ｒ１は、炭素数５〜２１のアルキル基であり、好ましくは炭素数５〜１３のアルキル基であり、より好ましくは炭素数７〜１１のアルキル基である。炭素数が上記範囲内であれば、良好な柔軟化作用と、良好な液安定性を発揮できる。また、炭素数が上記範囲内であれば、原料を容易に入手できる。
Ｒ１は直鎖であってもよく、分岐鎖であってもよい。
【００１４】
（Ｉ）式中、Ｙは、アルキル基又は−（Ｒ２Ｏ）ｍ−Ｒ３である。
Ｙがアルキル基である場合、Ｙは、炭素数３〜１６であり、より好ましくは炭素数６〜１０である。炭素数が上記下限値未満では、低い浴比で洗浄した際に、十分な柔軟化作用を発揮できないおそれがあり、炭素数が上記上限値超では疎水性が強くなりすぎて、液安定性が損なわれるおそれがある。
Ｙがアルキル基である場合、Ｙは直鎖であってもよく、分岐鎖であってもよく、中でも分岐鎖が好ましい。Ｙが分岐鎖のアルキル基であれば、柔軟化作用をさらに高められる。
Ｙが分岐鎖である場合、側鎖の数は、１〜４が好ましく、１がより好ましい。側鎖の数が上記範囲内であれば、柔軟化作用をより高められる。
好ましいＹとしては、例えば、イソトリデシル基、エチルヘキシル基、ヘキシルデシル基、イソブチル基、イソプロピル基等が挙げられ、中でも、柔軟化作用及び液安定性をより高められる点から、エチルヘキシル基がより好ましい。
Ｙがアルキル基である場合、Ｒ１のアルキル基は、炭素数５〜２１であり、炭素数５〜１３が好ましく、炭素数７〜１１がより好ましく、炭素数７〜９がさらに好ましい。Ｒ１の炭素数が上記範囲内であれば、親水性と疎水性とのバランスが良好となり、柔軟化作用を高められる。
【００１５】
Ｙが−（Ｒ２Ｏ）ｍ−Ｒ３である場合、Ｒ２は、炭素数２〜４のアルキレン基であり、好ましくは炭素数２〜３のアルキレン基であり、より好ましくは炭素数３のアルキレン基である。炭素数が上記範囲内であれば、親水性と疎水性とのバランスが良好となり、柔軟化作用をより高められる。
ｍは１〜５の数であり、２〜５が好ましく、３がより好ましい。上記下限値未満では、疎水性が強くなり、液安定性が損なわれるおそれがあり、上記上限値超では、親水性が強くなりすぎて、柔軟化作用が不十分になるおそれがある。
Ｒ３は炭素数１〜１６のアルキル基、フェニル基又はベンジル基であり、中でもアルキル基が好ましい。Ｒ３がアルキル基の場合、Ｒ３の炭素数は、１〜１２が好ましく、１〜６がより好ましく、１（即ち、メチル基）がさらに好ましい。上記範囲内であれば、液安定性をより高められる。
Ｙが−（Ｒ２Ｏ）ｍ−Ｒ３である場合、Ｒ１のアルキル基は、炭素数５〜２１であり、炭素数５〜１３が好ましく、炭素数９がより好ましい。Ｒ１の炭素数が上記範囲内であれば、親水性と疎水性とのバランスがより良好となり、柔軟化作用をより高められる。
【００１６】
（Ａ）成分は、従来公知の方法により製造することができる。
例えば、油脂と１価アルコールとのエステル交換による方法、廃食用油と１価アルコールとのエステル交換による方法、脂肪酸を１価アルコールでエステル化する方法、脂肪酸アルキルエステルと１価アルコールとのエステル交換による方法等が挙げられる。（Ａ）成分を構成する脂肪酸残基の炭素数は、例えば、（Ａ）成分を蒸留することにより炭素留分をカットしたり、所望の炭素数を有する脂肪酸アルキルエステルの炭素留分を２種以上配合した原料を用いることにより調整できる。
（Ａ）成分の製造方法に用いられる油脂としては、特に限定されないが、植物油及び動物油が好ましく、植物油がより好ましい。植物油としては、ナタネ油、ひまわり油、大豆油、綿実油、サンフラワー油、ヒマシ油、オリーブ油、とうもろこし油、椰子油、パーム油、パーム核油等が挙げられるが、特にこれらに限定されるものではない。中でも、炭素数６〜１４の脂肪酸の含有量が多い点でパーム核油、椰子油が好ましい。動物油としては、牛脂、豚脂、魚油等が挙げられるが、特にこれらに限定されるものではない。
また、（Ａ）成分の製造方法に用いられるアルコールとしては、特に限定されないが、プロクター・アンド・ギャンブル社製のＣＯ−１２１４（商品名）又はＣＯ−１２７０（商品名）等の天然アルコールや、三菱化学株式会社製のＤｉａｄｏｌ（商品名、Ｃ１３、Ｃは炭素数を示す。以下同様。）、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコール等が好ましい。
【００１７】
このような（Ａ）成分としては、例えば、カプリル酸２−エチルヘキシル、ミリスチン酸イソトリデシル、ドデカン酸２−ヘキシルデシル、カプリル酸プロピレングリコールメチルエーテル、カプリル酸ジプロピレングリコールメチルエーテル、カプリル酸トリプロピレングリコールメチルエーテル、カプリン酸プロピレングリコールメチルエーテル、カプリン酸ジプロピレングリコールメチルエーテル、カプリン酸トリプロピレングリコールメチルエーテル、ラウリン酸プロピレングリコールメチルエーテル、ラウリン酸ジプロピレングリコールメチルエーテル、ラウリン酸トリプロピレングリコールメチルエーテル、カプリル酸エチレングリコールメチルエーテル、カプリル酸ジエチレングリコールメチルエーテル、カプリル酸トリエチレングリコールメチルエーテル、カプリン酸エチレングリコールメチルエーテル、カプリン酸ジエチレングリコールメチルエーテル、カプリン酸トリエチレングリコールメチルエーテル、ラウリン酸エチレングリコールメチルエーテル、ラウリン酸ジエチレングリコールメチルエーテル、ラウリン酸トリエチレングリコールメチルエーテル、カプリル酸プロピレングリコールエチルエーテル、カプリル酸ジプロピレングリコールエチルエーテル、カプリル酸トリプロピレングリコールエチルエーテル、カプリン酸プロピレングリコールエチルエーテル、カプリン酸ジプロピレングリコールエチルエーテル、カプリン酸トリプロピレングリコールエチルエーテル、ラウリン酸プロピレングリコールエチルエーテル、ラウリン酸ジプロピレングリコールエチルエーテル、ラウリン酸トリプロピレングリコールエチルエーテル、カプリル酸エチレングリコールエチルエーテル、カプリル酸ジエチレングリコールエチルエーテル、カプリル酸トリエチレングリコールエチルエーテル、カプリン酸エチレングリコールエチルエーテル、カプリン酸ジエチレングリコールエチルエーテル、カプリン酸トリエチレングリコールエチルエーテル、ラウリン酸エチレングリコールエチルエーテル、ラウリン酸ジエチレングリコールエチルエーテル、ラウリン酸トリエチレングリコールエチルエーテル等が挙げられる。中でも、カプリル酸２−エチルヘキシル、カプリン酸トリプロピレングリコールメチルエーテルが好ましく、カプリル酸２−エチルヘキシルがより好ましい。このような（Ａ）成分を用いることで、柔軟化作用をさらに高めることができる。これらの（Ａ）成分は、１種単独で用いられてもよいし、２種以上が組み合わされて用いられてもよい。
【００１８】
液体洗浄剤中の（Ａ）成分の含有量は、０．１〜１０質量％が好ましく、０．５〜５質量％がより好ましく、１〜３質量％がさらに好ましい。上記下限値未満では低い浴比での柔軟化作用が不十分になるおそれがあり、上記上限値超では液安定性が低下するおそれがある。
【００１９】
＜（Ｂ）成分：（Ａ）成分を除くノニオン界面活性剤＞
（Ｂ）成分は、（Ａ）成分を除くノニオン界面活性剤である。（Ｂ）成分は、液体洗浄剤の洗浄力を発揮する主成分であり、かつ（Ａ）成分を水に可溶化する作用を有する。
【００２０】
（Ｂ）成分としては、（Ａ）成分を除くものであれば特に限定されず、例えば、以下のものが挙げられる。
（１）炭素数６〜２２、好ましくは８〜１８の脂肪族アルコールに炭素数２〜４のアルキレンオキシドを平均３〜３０モル、好ましくは３〜２０モル、さらに好ましくは５〜２０モル付加したポリオキシアルキレンアルキル（又はアルケニル）エーテル。この中でも、ポリオキシエチレンアルキル（又はアルケニル）エーテル、ポリオキシエチレンポリオキシプロピレンアルキル（又はアルケニル）エーテルが好適である。ここで使用される脂肪族族アルコールとしては、第１級アルコールや、第２級アルコールが挙げられる。また、そのアルキル基は、分岐鎖であってもよい。脂肪族アルコールとしては、第１級アルコールが好ましい。
（２）ポリオキシエチレンアルキル（又はアルケニル）フェニルエーテル。
（３）長鎖脂肪酸アルキルエステルのエステル結合間にアルキレンオキシドが付加した脂肪酸アルキルエステルアルコキシレート。
（４）ポリオキシエチレンソルビタン脂肪酸エステル。
（５）ポリオキシエチレンソルビット脂肪酸エステル。
（６）ポリオキシエチレン脂肪酸エステル。
（７）ポリオキシエチレン硬化ヒマシ油。
（８）グリセリン脂肪酸エステル。
【００２１】
（Ｂ）成分としては、上記（１）又は（３）のものが好ましく、中でも、下記一般式（ｂ１）で表されるポリオキシアルキレン型ノニオン界面活性剤（以下、（ｂ１）成分ということがある）、下記一般式（ｂ２）で表されるポリオキシアルキレン型ノニオン界面活性剤（以下、（ｂ２）成分ということがある）がより好ましい。
【００２２】
Ｒ１１−Ｘ１−［（ＥＯ）ｓ／（ＰＯ）ｔ］−Ｒ１２    ・・・（ｂ１）
［（ｂ１）式中、Ｒ１１は炭素数８〜１８のアルキル基又はアルケニル基である。Ｘ１は−Ｏ−、−ＣＯＯ−又は−ＣＯＮＨ−である。Ｒ１２は水素原子、炭素数１〜６のアルキル基、又は炭素数２〜６のアルケニル基である。ｓはＥＯの平均繰返し数を表す３〜２０の数である。ｔはＰＯの平均繰返し数を表す０〜６の数である。ＥＯはオキシエチレン基、ＰＯはオキシプロピレン基を表し、ＥＯとＰＯとは混在していてもよい。］
【００２３】
（ｂ１）式中、Ｒ１１は、洗浄力の観点から、炭素数１０〜１８のアルキル基又はアルケニル基が好ましく、直鎖であっても分岐鎖であってもよい。Ｒ１１としては、１級又は２級の高級アルコール、高級脂肪酸、高級脂肪酸アミド等の原料に由来するアルキル基又はアルケニル基が挙げられる。
Ｒ１２がアルキル基である場合、Ｒ１２は、炭素数１〜３のアルキル基が好ましい。Ｒ１２がアルケニル基である場合、Ｒ１２は、炭素数２〜３のアルケニル基が好ましい。
【００２４】
Ｘ１としては、−Ｏ−又は−ＣＯＯ−が好ましい。
Ｘ１が−Ｏ−の場合、（ｂ１）成分は、アルキルエーテル型ノニオン界面活性剤である。Ｘ１が−Ｏ−の場合、洗浄力の観点から、Ｒ１１の炭素数は１０〜１８が好ましい。また、Ｒ１１は不飽和結合を有していてもよい。また、Ｘ１が−Ｏ−の場合、Ｒ１２は、水素原子が好ましい。
Ｘ１が−ＣＯＯ−の場合、（ｂ１）成分は脂肪酸エステル型ノニオン界面活性剤である。Ｘ１が−ＣＯＯ−の場合、洗浄力の観点から、Ｒ１１の炭素数は９〜１７が好ましく、１１〜１７がより好ましい。また、Ｒ１１は不飽和結合を有していてもよい。Ｘ１が−ＣＯＯ−の場合、Ｒ１２は、炭素数１〜３のアルキル基が好ましい。
【００２５】
（ｂ１）式中、ｓは、３〜２０の数であり、好ましくは５〜１８の数である。ｓが２０を超えると、ＨＬＢ値が高くなりすぎて、洗浄力が低下する傾向にある。一方、ｓが３未満であると、（ｂ１）成分自体の原料臭気が劣化しやすくなる傾向にある。
ｔは、０〜６の数であり、好ましくは０〜３の数である。ｔが６を超えると、液体洗浄剤の高温下での液安定性が低下する傾向にある。
（ＥＯ）ｓ／（ＰＯ）ｔにおけるＥＯとＰＯとは混在して配列してもよく、ＥＯとＰＯとがランダム状に付加していてもよく、ブロック状に付加していてもよい。
（ｂ１）成分において、ＥＯ又はＰＯの付加モル数分布は特に限定されず、（ｂ１）成分を製造する際の反応方法によって変動しやすい。例えば、ＥＯ又はＰＯの付加モル数分布は、一般的な水酸化ナトリウム、水酸化カリウム等のアルカリ触媒を用いて、エチレンオキシド又はプロピレンオキシドを疎水基原料（１級又は２級の高級アルコール、高級脂肪酸、高級脂肪酸アミド等）に付加させた際には、比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該疎水基原料に付加させた場合には、比較的狭い分布となる傾向にある。
【００２６】
（ｂ１）成分としては、例えば、三菱化学株式会社製のＤｉａｄｏｌ（商品名、Ｃ１３）、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコールに対して、１２モル相当又は１５モル相当のエチレンオキシドを付加したもの；プロクター・アンド・ギャンブル社製のＣＯ−１２１４（商品名）又はＣＯ−１２７０（商品名）等の天然アルコールに対して、１２モル相当又は１５モル相当のエチレンオキシドを付加したもの；ブテンを３量化して得られるＣ１２アルケンをオキソ法に供して得られるＣ１３アルコールに対して、７モル相当のエチレンオキシドを付加したもの（商品名：Ｌｕｔｅｎｓｏｌ  ＴＯ７、ＢＡＳＦ社製）；ペンタノールをガーベット反応に供して得られるＣ１０アルコールに対して、９モル相当のエチレンオキシドを付加したもの（商品名：Ｌｕｔｅｎｓｏｌ  ＸＰ９０、ＢＡＳＦ社製）；ペンタノールをガーベット反応に供して得られるＣ１０アルコールに対して、７モル相当のエチレンオキシドを付加したもの（商品名：Ｌｕｔｅｎｓｏｌ  ＸＬ７０、ＢＡＳＦ社製の）；ペンタノールをガーベット反応に供して得られるＣ１０アルコールに対して、６モル相当のエチレンオキシドを付加したもの（商品名：Ｌｕｔｅｎｓｏｌ  ＸＡ６０、ＢＡＳＦ社製）；炭素数１２〜１４の第２級アルコールに対して、９モル相当又は１５モル相当のエチレンオキシドを付加したもの（商品名：ソフタノール９０、ソフタノール１５０、株式会社日本触媒製）、椰子脂肪酸メチル（ラウリン酸／ミリスチン酸（質量比）＝８／２）に対して、アルコキシル化触媒を用いて、１５モル相当の酸化エチレンを付加したもの（ポリオキシエチレン椰子脂肪酸メチルエステル（ＥＯ１５モル））等が挙げられる。
【００２７】
Ｒ１３−Ｏ−［（ＥＯ）ｐ／（ＰＯ）ｑ］−（ＥＯ）ｒ−Ｈ  ・・・（ｂ２）
［（ｂ２）式中、Ｒ１３は炭素数８〜１８のアルキル基又はアルケニル基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１、０＜ｑ≦３、ｐ＋ｒ＝１０〜２０を満たす数である。ＥＯはオキシエチレン基、ＰＯはオキシプロピレン基を表し、（ＥＯ）ｐ／（ＰＯ）ｑにおけるＥＯとＰＯとは混在していてもよい。］
【００２８】
（ｂ２）式中、Ｒ１３は、直鎖であっても分岐鎖であってもよい。
（ｂ２）式中、ＥＯとＰＯとの比率は、ｑ／（ｐ＋ｒ）で表される比で０．１〜０．５であることが好ましく、より好ましくは０．１〜０．３である。上記下限値以上であると、泡が立ちすぎず、泡立ちの適正化が図られやすい。上記上限値以下であると、適度な粘度が得られやすくなり、ゲル化が抑制されやすい。
（ＥＯ）ｐ／（ＰＯ）ｑにおけるＥＯとＰＯとは、いずれか一方のみが存在していてもよく、混在していてもよく、ＥＯとＰＯとがランダム状に付加していてもよく、ブロック状に付加していてもよい。
【００２９】
（ｂ２）成分は、従来公知の方法で製造することができる。例えば、天然油脂から誘導されたＲ１３を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加して製造できる。
（ｂ２）成分を用いると、液体洗浄剤は適度な粘度が得られやすくなり、ゲル化も抑制される。また、泡立ち性が向上し、生分解性もより良好になる。
【００３０】
（Ｂ）成分の中でも、洗浄力の点から（ｂ１）成分が好ましく、特に、柔軟化作用をより高める観点から、（ｂ１）中、Ｘ１が−Ｏ−で炭素数１２〜１４の第２級アルコールに対して、９モル相当又は１５モル相当のエチレンオキシドを付加したもの（例えば、ソフタノール９０、ソフタノール１５０（商品名、株式会社日本触媒製））、（ｂ１）式中、Ｘ１が−ＣＯＯ−の脂肪酸エステル型ノニオン界面活性剤が好ましく、より好ましくは脂肪酸エステル型ノニオン界面活性剤である。
【００３１】
液体洗浄剤中の（Ｂ）成分の含有量は、１０〜７０質量％が好ましく、２０〜７０質量％がより好ましく、２５〜５５質量％がさらに好ましい。（Ｂ）成分の含有量が上記下限値以上であれば、（Ａ）成分を可溶化することができ、また、十分な洗浄力を発揮できる。（Ｂ）成分の含有量が上記上限値以下であれば、低温保存時の液安定性を高められる。特に、（Ｂ）成分の含有量が２５〜５５質量％であれば、（Ｃ）成分が効率的に被洗浄物に吸着して、より良好な柔軟化作用を得られる。
【００３２】
＜（Ｃ）成分：カチオン界面活性剤＞
（Ｃ）成分は、カチオン界面活性剤である。液体洗浄剤は、（Ｃ）成分を含有することで、柔軟化作用を発揮できる。
【００３３】
（Ｃ）成分としては、例えば、４級アンモニウム塩型の界面活性剤、３級アミン型の界面活性剤が挙げられ、中でも、柔軟化作用をより高める点で、４級アンモニウム塩型の界面活性剤が好ましい。
【００３４】
４級アンモニウム塩型の界面活性剤としては、従来、液体洗浄剤に用いられているものであれば特に限定されないが、例えば、下記一般式（ｃ１）で表される化合物（以下、（ｃ１）成分ということがある）、下記一般式（ｃ２）で表される化合物（以下、（ｃ２）成分ということがある）、下記一般式（ｃ３）で表される化合物（以下、（ｃ３）成分ということがある）が好ましい。（ｃ１）〜（ｃ３）成分を用いることで、柔軟化作用をより高められる。
【００３５】
【化１】
0006055672.tif 000002
【００３６】
［（ｃ１）式中、Ｒ２０〜Ｒ２３は、それぞれ独立に、２つ又は３つが炭素数１〜３のアルキル基又はヒドロキシアルキル基であり、それ以外が炭素数８〜２２の直鎖もしくは分岐鎖のアルキル基又はアルケニル基である。Ｚ−はハロゲンイオン又はアルキル硫酸イオンである。］
【００３７】
【化２】
0006055672.tif 000003
【００３８】
［（ｃ２）式中、Ｒ２４、Ｒ２５は、それぞれ独立に炭素数８〜２２の直鎖もしくは分岐鎖のアルキル基又はアルケニル基を表し、ＥＯは、オキシエチレン基を表し、ｘ及びｙはオキシエチレン基の平均付加モル数を表す０以上の数であり、ｘ＋ｙ＝１０以上である。Ｚ−はハロゲンイオン又はアルキル硫酸イオンである。］
【００３９】
【化３】
0006055672.tif 000004
【００４０】
［（ｃ３）式中、Ｒ２６及びＲ２７は、それぞれ独立に炭素数１〜３のアルキル基又はヒドロキシアルキル基であり、Ｒ２８は炭素数８〜２２の直鎖もしくは分岐鎖のアルキル基又はアルケニル基であり、Ｒ２９は、炭素数１〜３のアルキレン基である。Ｚ−はハロゲンイオン又はアルキル硫酸イオンである。］
【００４１】
（ｃ１）式中、Ｚ−を構成するハロゲンイオンとしては、フッ素イオン、塩素イオン、臭素イオン、ヨウ素イオン等が挙げられる。Ｚ−を構成するアルキル硫酸イオンとしては、炭素数１〜３のアルキル基を有するものが好ましい。中でも、Ｚ−としては、ハロゲンイオンが好ましく、塩素イオンがより好ましい。塩素イオンであれば、液安定性をより高められる。
【００４２】
（ｃ１）成分としては、Ｒ２０〜Ｒ２２が、それぞれ独立に炭素数１〜３のアルキル基又は炭素数１〜３のヒドロキシアルキル基であり、Ｒ２３が炭素数８〜２２の直鎖もしくは分岐鎖のアルキル基又は炭素数８〜２２の直鎖もしくは分岐鎖のアルケニル基である化合物（以下、（ｃ１−１）成分という）；Ｒ２０及びＲ２１が、それぞれ独立に炭素数１〜３のアルキル基又は炭素数１〜３のヒドロキシアルキル基であり、Ｒ２２及びＲ２３が、それぞれ独立に炭素数８〜２２の直鎖もしくは分岐鎖のアルキル基又は炭素数８〜２２の直鎖もしくは分岐鎖のアルケニル基である化合物（以下、（ｃ１−２）成分という）が好ましい。
【００４３】
（ｃ１−１）成分としては、Ｒ２０〜Ｒ２２が、好ましくはそれぞれ独立に炭素数１〜３のアルキル基であり、より好ましくはいずれか１つがメチル基であり、さらに好ましくはいずれもメチル基である。Ｒ２０〜Ｒ２２が上記のアルキル基であれば、液安定性をより高められる。
（ｃ１−１）成分としては、Ｒ２３の炭素数が、好ましくは８〜２２、より好ましくは１２〜１８である。Ｒ２３の炭素数が、上記範囲内であれば、柔軟化作用をより高められる。
（ｃ１−１）成分としては、Ｒ２３が、好ましくは直鎖又は分岐鎖のアルキル基であり、より好ましくは直鎖のアルキル基である。Ｒ２３が上記のアルキル基であれば、柔軟化作用をより高められる。
【００４４】
（ｃ１−２）成分としては、Ｒ２０及びＲ２１が、好ましくはそれぞれ独立に炭素数１〜３のアルキル基であり、より好ましくは少なくとも１つがメチル基であり、さらに好ましくはいずれもメチル基である。Ｒ２０及びＲ２１が上記のアルキル基であれば、液安定性をより高められる。
（ｃ１−２）成分としては、Ｒ２２及びＲ２３の炭素数が、好ましくはそれぞれ独立に８〜１２、より好ましくは８〜１０である。Ｒ２２及びＲ２３の炭素数が上記範囲内であれば、柔軟化作用をより高められる。
（ｃ１−２）成分としては、Ｒ２２及びＲ２３が、好ましくはそれぞれ独立に直鎖又は分岐鎖のアルキル基であり、より好ましくはいずれか１つが直鎖のアルキル基であり、さらに好ましくはいずれも直鎖のアルキル基である。Ｒ２２及びＲ２３が上記のアルキル基であれば、柔軟化作用をより高められる。
【００４５】
（ｃ２）式中のＺ−は、（ｃ１）式中のＺ−と同様である。
（ｃ２）式中、ｘ＋ｙは１０〜５０が好ましい。ｘ＋ｙが上記下限値以上であれば、液安定性がより良好であり、上記上限値以下であれば、柔軟化作用をより高められる。
（ｃ２）成分としては、Ｒ２４及びＲ２５のいずれか一方が炭素数１０〜１８の直鎖もしくは分岐鎖のアルキル基又はアルケニル基、他方がメチル基又はトリル基であることが好ましい。上記の組み合わせであれば、柔軟化作用をより高められる。
【００４６】
（ｃ３）式中のＺ−は、（ｃ１）式中のＺ−と同様である。
（ｃ３）式中、Ｒ２６及びＲ２７は、それぞれ独立に炭素数１〜３のアルキル基が好ましく、いずれか一方がメチル基であることがより好ましく、いずれもメチル基であることがさらに好ましい。Ｒ２６及びＲ２７が上記のアルキル基であれば、液安定性をより高められる。
（ｃ３）式中、Ｒ２８の炭素数は、１０〜１８が好ましく、１２〜１４がより好ましい。Ｒ２８の炭素数が上記範囲内であれば、柔軟化作用をより高められる。
またＲ２８は、直鎖又は分岐鎖のアルキル基であることが好ましく、直鎖のアルキル基であることがより好ましい。Ｒ２８が上記のアルキル基であれば、柔軟化作用をより高められる。
（ｃ３）式中、Ｒ２９は、メチレン基であることが好ましい。Ｒ２９がメチレン基であれば、液安定性をより高められる。
【００４７】
３級アミン型の界面活性剤としては、例えば、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン、パルミチン酸ジエタノールアミノプロピルアミド、ステアリン酸ジエタノールアミノプロピルアミド等の長鎖脂肪族アミドジアルカノール３級アミン、パルミテートエステルプロピルジメチルアミン、ステアレートエステルプロピルジメチルアミン等が挙げられる。これらの中でも、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミドが好ましい。
３級アミン化合物は、そのまま用いられてもよく、塩として用いられてもよい。該塩としては、３級アミン化合物を酸で中和した酸塩等が挙げられる。中和に用いる酸としては、例えば、塩酸、硫酸、硝酸、リン酸、グリコール酸、乳酸、クエン酸、ポリアクリル酸、パラトルエンスルホン酸、クメンスルホン酸等が挙げられる。これらの３級アミン型の界面活性剤は、１種単独で用いられてもよいし、２種以上が組み合わされて用いられてもよい。
【００４８】
（Ｃ）成分としては、（ｃ１−１）成分、（ｃ１−２）成分、（ｃ３）成分が好ましい。このような（Ｃ）成分を用いることで、液体洗浄剤の柔軟化作用をより高められる。
（ｃ１−１）成分としては、例えば、アーカード１２−３７Ｗ（商品名、ライオンアクゾ株式会社製）やアーカードＴ−８００（商品名、ライオンアクゾ株式会社製）等の塩化アルキルトリメチルアンモニウム等が挙げられる。
（ｃ１−２）成分としては、アーカード２１０（商品名、ライオンアクゾ株式会社製）等の塩化ジデシルジメチルアンモニウム等が挙げられる。
（ｃ−３）成分としては、アーカードＣＢ−５０（商品名、ライオンアクゾ株式会社製）等の椰子アルキルジメチルベンジルアンモニウムクロライド等が挙げられる。
上述した（Ｃ）成分は、１種単独で用いられてもよいし、２種以上が組み合わされて用いられてもよい。
【００４９】
液体洗浄剤中の（Ｃ）成分の含有量は、０．１質量％以上１０質量％未満が好ましく、１〜６質量％がより好ましく、２〜４質量％がさらに好ましい。上記下限値以上であれば、柔軟化作用をより高められ、上記上限値以下であれば、被洗浄物に対する移染や再汚染等が抑制され、液体洗浄剤の液安定性をより高められる。
【００５０】
液体洗浄剤中、（Ｃ）成分／（Ａ）成分で表される質量比（以下、Ｃ／Ａ比ということがある）は、（Ａ）成分及び（Ｃ）成分の種類や、後述する（Ｄ）成分の含有量等を勘案して決定でき、例えば、０．１〜５が好ましく、０．２〜１がより好ましく、０．３〜０．５がさらに好ましい。上記範囲内であれば、（Ａ）成分が、被洗浄物への（Ｃ）成分の吸着を効果的に促して柔軟化作用をより高められる。
【００５１】
＜（Ｄ）成分：アニオン界面活性剤＞
液体洗浄剤は、（Ｄ）成分：アニオン界面活性剤を含有できる。液体洗浄剤は、（Ｄ）成分を含有することで、柔軟化作用をより高められる。（Ｄ）成分を含有することで柔軟化作用を高められる理由は定かでないが、以下のように推測される。
（Ｄ）成分は、（Ｃ）成分とイオン結合することで疎水度が高くなるが、（Ｃ）成分と（Ｄ）成分とが結合した会合体（特にＣ−Ｄ会合体ということがある）は、（Ａ）成分との疎水性相互作用から被洗浄物への吸着が高まる。Ｃ−Ｄ会合体は、その嵩高さから、さらに柔軟化作用を高めると考えられる。
【００５２】
（Ｄ）成分としては、従来、液体洗浄剤に用いられているアニオン界面活性剤を用いることができる。
好ましい（Ｄ）成分としては、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
直鎖アルキルベンゼンスルホン酸又はその塩としては、直鎖アルキル基の炭素数が８〜１６のものが好ましく、直鎖アルキル基の炭素数が１０〜１４のものがより好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖もしくは分岐鎖のアルキル基又はアルケニル基を有し、平均１〜１０モルのエチレンオキシドを付加したもの（即ち、ポリオキシエチレンアルキルエーテル硫酸エステル塩又はポリオキシエチレンアルケニルエーテル硫酸エステル塩）が好ましい。
アルカンスルホン酸塩としては、アルキル基の炭素数が１０〜２０のものが好ましく、１４〜１７のものがより好ましく、中でも、該アルキル基が２級アルキル基であるもの（即ち、２級アルカンスルホン酸塩）がさらに好ましい。
α−スルホ脂肪酸エステル塩としては、脂肪酸残基の炭素数が１０〜２０のものが好ましい。
（Ｄ）成分としては、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる少なくとも１種が好ましい。
（Ｄ）成分として、上記以外の他のアニオン界面活性剤を用いてもよい。該他のアニオン界面活性剤としては、例えば、炭素数１０〜２０の高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
これらの（Ｄ）成分は、１種単独で用いられてもよいし、２種以上が組み合わされて用いられてもよい。
【００５３】
液体洗浄剤中の（Ｄ）成分の含有量は、１〜１０質量％が好ましく、２〜８質量％がより好ましく、４〜６質量％がさらに好ましい。上記下限値未満では柔軟化作用のさらなる向上を図れないおそれがあり、上記上限値超では液安定性を損なうおそれがある。
【００５４】
液体洗浄剤中、（Ｂ）成分／（Ｄ）成分で表される質量比（以下、Ｂ／Ｄ比ということがある）は、特に限定されないが、３〜２０が好ましく、６〜１０がより好ましい。上記範囲内であれば、十分な洗浄力を発揮し、かつ低温保存時の液安定性をより高められる。
【００５５】
液体洗浄剤中、（Ｄ）成分／（Ｃ）成分で表される質量比（以下、Ｄ／Ｃ比ということがある）は、（Ｃ）成分及び（Ｄ）成分の種類等を勘案して決定でき、例えば、０．１〜１０が好ましく、０．２〜５がより好ましく、０．５〜３がさらに好ましい。上記範囲内であれば、Ｃ−Ｄ会合体を効率的に形成し、柔軟化作用をより高められる。
【００５６】
液体洗浄剤が（Ｄ）成分を含有する場合、（Ａ）成分の含有量は、以下の条件とすることが好ましい。
Ｄ／Ｃ比＜１の場合、（Ｄ）成分／（Ａ）成分で表される質量比（以下、Ｄ／Ａ比ということがある）は、０．５〜５が好ましく、１〜３がより好ましい。
１≦Ｄ／Ｃ比＜３の場合、［（Ｃ）成分＋（Ｄ）成分］／（Ａ）成分で表される質量比（以下、（Ｃ＋Ｄ）／Ａ比ということがある）は、０．５〜２０が好ましく、２〜１０がより好ましく、３〜７がさらに好ましい。
３≦Ｄ／Ｃ比の場合、Ｃ／Ａ比は、０．２〜１０が好ましく、１〜５がより好ましい。
（Ａ）成分の含有量を上記範囲内とすることで、Ｃ−Ｄ会合体の被洗浄物への吸着をより促進して、柔軟化作用をより高められる。
【００５７】
＜任意成分＞
液体洗浄剤は、（Ａ）〜（Ｄ）成分に加え、本発明の効果を阻害しない範囲で、必要に応じて、水混和性有機溶媒、両性界面活性剤、減粘剤又は可溶化剤、アルカリ剤、金属イオン捕捉剤、酸化防止剤、風合向上剤、蛍光増白剤、再汚染防止剤、パール剤、ソイルリリース剤、酵素、着香剤、着色剤、乳濁化剤、エキス類、ｐＨ調整剤等の任意成分を含有してもよい。
【００５８】
水混和性有機溶媒（以下、（Ｅ）成分ということがある）は、２５℃の水１Ｌに５０ｇ以上溶解する有機溶媒である。水混和性有機溶媒としては、例えば、エチレングリコール、プロピレングリコール、ブチレングリコール、ヘキシレングリコール、エチレングリコールとプロピレングリコールとの共重合体等の炭素数２〜６のアルキレングリコール類；エタノール、メタノール、プロパノール、ブタノール等のアルコール類；ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、ジプロピレングリコールモノブチルエーテル、ジエチレングリコールモノブチルエーテル、ジエチレングリコールジブチルエーテル、プロピレングリコールモノブチルエーテル、ジエチレングリコールモノヘキシルエーテル、ジエチレングリコール−モノ２−エチルへキシルエーテル、トリエチレングリコールモノブチルエーテル、オキシエチレン・ジオキシプロピレングリコールモノブチルエーテル等の（ポリ）アルキレングリコール（モノ又はジ）アルキルエーテル；エチレングリコールモノフェニルエーテル、ジエチレングリコールモノフェニルエーテル、トリエチレングリコールモノフェニルエーテル、エチレングリコールモノベンジルエーテル、ジエチレングリコールモノベンジルエーテル等の芳香族エーテル類等が挙げられる。中でも、溶解性、低温保管時の液安定性の向上の点からから、エタノール、プロピレングリコール、ジエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、ジプロピレングリコールモノブチルエーテル、ジエチレングリコールモノブチルエーテル、ジエチレングリコールジブチルエーテル、プロピレングリコールモノブチルエーテル、ジエチレングリコールモノヘキシルエーテル、ジエチレングリコール−モノ２−エチルへキシルエーテル、トリエチレングリコールモノブチルエーテル、オキシエチレン・ジオキシプロピレングリコールモノブチルエーテルがより好ましい。
これらの（Ｅ）成分は、１種単独で用いられてもよいし、２種以上が組み合わされて用いられてもよい。
液体洗浄剤中の（Ｅ）成分の含有量は、３〜３０質量％が好ましく、５〜２０質量％がより好ましく、７〜１５％がさらに好ましい。上記範囲内あれば、溶解性、液安定性のさらなる向上が図れる。
液体洗浄剤組成物中、（Ｅ）成分／（Ａ）成分で表される質量比（以下、Ｅ／Ａ比ということがある）は、例えば、１〜１０が好ましく、２〜７がより好ましく、３〜５がさらに好ましい。上記範囲内であれば、（Ａ）成分と（Ｅ）成分との相乗効果により、液体洗浄剤の液安定性をより高められる。
【００５９】
両性界面活性剤としては、従来公知の両性界面活性剤を用いることができ、例えば、アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤等が挙げられる。
液体洗浄剤中の両性界面活性剤の含有量は、例えば、０．１〜１５質量％が好ましい。
【００６０】
減粘剤又は可溶化剤は、液体洗浄剤がゲル化して、液表面に皮膜が形成されるのを抑制する。減粘剤又は可溶化剤としては、例えば、トルエンスルホン酸、キシレンスルホン酸、クメンスルホン酸、置換もしくは非置換ナフタレンスルホン酸等の芳香族スルホン酸及びその塩等が挙げられる。芳香族スルホン酸塩としては、ナトリウム塩、カリウム塩、カルシウム塩、マグネシウム塩、アンモニウム塩又はアルカノールアミン塩等が挙げられる。
減粘剤又は可溶化剤は、１種単独で用いられてもよいし、２種以上が組み合わされて用いられてもよい。
液体洗浄剤中の減粘剤又は可溶化剤の含有量は、０．０１〜１５質量％が好ましい。上記範囲内であれば、液体洗浄剤の液表面における皮膜形成を良好に抑制できる。
【００６１】
アルカリ剤としては、例えば、モノエタノールアミン、ジエタノールアミン、トリエタノールアミン等のアルカノールアミンが挙げられる。
アルカリ剤は、１種単独で用いられてもよいし、２種以上が組み合わされて用いられてもよい。
液体洗浄剤中のアルカリ剤の含有量は０．５〜５質量％が好ましい。
【００６２】
金属イオン捕捉剤としては、例えば、マロン酸、コハク酸、リンゴ酸、ジグリコール酸、酒石酸、クエン酸等が挙げられる。
金属イオン捕捉剤は、１種単独で用いられてもよいし、２種以上が組み合わされて用いられてもよい。
液体洗浄剤中の金属イオン捕捉剤の含有量は、０．１〜２０質量％が好ましい。
【００６３】
酸化防止剤としては、特に限定はされないが、洗浄力と液安定性とが良好であることから、フェノール系酸化防止剤が好ましい。フェノール系酸化防止剤としては、ジブチルヒドロキシトルエン、ブチルヒドロキシアニソール、２，２’−メチレンビス（４−メチル−６−ｔ−ブチルフェノール、ｄｌ−α−トコフェロールが好ましく、ジブチルヒドロキシトルエン、ｄｌ−α−トコフェロールがより好ましい。
酸化防止剤は、１種単独で用いられてもよいし、２種以上が組み合わされて用いられてもよい。
液体洗浄剤中の酸化防止剤の含有量は、０．０１〜２質量％が好ましい。
【００６４】
風合向上剤としては、例えば、ジメチルシリコーン、ポリエーテル変性シリコーン、アミノ変性シリコーン等のシリコーンが挙げられる。
液体洗浄剤中の風合向上剤の含有量は、０〜５質量％が好ましい。
【００６５】
白色衣類の白度向上を目的とする蛍光増白剤としては、ジスチリルビフェニル型等が挙げられる。
液体洗浄剤中の蛍光増白剤の含有量は、０〜１質量％が好ましい。
【００６６】
移染防止剤又は再汚染防止剤としては、例えば、ポリビニルピロリドン、カルボキシメチルセルロース等が挙げられる。
液体洗浄剤中の移染防止剤又は再汚染防止剤の配合量は、０〜２質量％が好ましい。
【００６７】
酵素としては、例えば、プロテアーゼ、リパーゼ、セルラーゼ等が挙げられる。液体洗浄剤は、酵素を含有することで、洗浄力をより高められる。
【００６８】
着香剤としては、特に限定されず、例えば、特開２００２−１４６３９９号公報の表１１〜１８に記載の香料組成物Ａ〜Ｄ等が挙げられる。
液体洗浄剤中の着香剤の含有量は、０．１〜１質量％が好ましい。
【００６９】
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。
液体洗浄剤中の着色剤の含有量は、０．００００５〜０．００５質量％が好ましい。
【００７０】
乳濁化剤としては、ポリスチレンエマルション、ポリ酢酸ビニルエマルジョン等が挙げられ、通常、固形分３０〜５０質量％のエマルションが好適に用いられる。このようなエマルション型の乳濁化剤としては、ポリスチレンエマルション（商品名：サイビノールＲＰＸ−１９６  ＰＥ−３、固形分４０質量％、サイデン化学株式会社製）等が挙げられる。
液体洗浄剤中の乳濁化剤の含有量は、０．０１〜０．５質量％が好ましい。
【００７１】
エキス類としては、例えば、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキス等が挙げられる。
液体洗浄剤中のエキス類の含有量は、０〜０．５質量％が好ましい。
【００７２】
ｐＨ調整剤としては、例えば、硫酸、塩酸等の酸性化合物；モノエタノールアミン、ジエタノールアミン、トリエタノールアミン等のアルカノールアミン、水酸化ナトリウム、水酸化カリウム等のアルカリ性化合物が挙げられ、中でも、経時安定性の面から、硫酸、水酸化ナトリウム、水酸化カリウム、アルカノールアミンが好ましく、硫酸、水酸化ナトリウムがより好ましい。これらのｐＨ調整剤は、１種単独で用いられてもよいし、２種以上が組み合わされて用いられてもよい。
ただし、ｐＨ調整剤を除く成分のみで所望のｐＨの液体洗浄剤が得られる場合は、必ずしもｐＨ調整剤を用いる必要はない。
【００７３】
（製造方法）
液体洗浄剤は、上述した（Ａ）〜（Ｃ）成分と、必要に応じて（Ｄ）成分及び任意成分とを溶媒に分散することで得られる。
例えば、（Ｂ）成分と（Ｅ）成分とを溶媒に加え攪拌し、これに（Ｄ）成分を加え、ｐＨ調整剤でｐＨ７に調整した後、（Ａ）成分と（Ｃ）成分とを加え攪拌した後、ｐＨ調整剤で任意のｐＨに調整する製造方法が好ましい。
溶媒としては、水道水、井水、イオン交換水、蒸留水、純水等の水が挙げられる。
液体洗浄剤中の水の含有量は、特に限定されないが、例えば、１０〜８０質量％が好ましく、２０〜６０質量％がより好ましい。上記下限値未満では、液安定性が損なわれるおそれがあり、上記上限値超では、液体洗浄剤の濃縮化を図りにくい。
【００７４】
（使用方法）
液体洗浄剤の使用方法、即ち、被洗浄物の洗浄方法は、従来公知の液体洗浄剤の使用方法と同様であってよい。
例えば、液体洗浄剤を洗浄水に添加して洗浄液とし、この洗浄液を用いて被洗浄物を洗濯機等で洗浄する方法、液体洗浄剤を泥汚れや皮脂汚れに塗布する方法、洗浄液に被洗浄物を浸漬する方法等が挙げられる。また、液体洗浄剤を被洗浄物に塗布した後、適宜放置し、その後、洗浄液を用いて洗浄してもよい。
【００７５】
液体洗浄剤の添加量は、被洗浄物の種類や量、汚れの程度等を勘案して適宜決定され、例えば、一般家庭で衣料品を洗浄する場合には、洗浄水１２Ｌ当たり、１〜１５ｇとされる。
【００７６】
被洗浄物としては、一般に、水を用いる洗濯の対象とされている繊維製品であればよく、例えば、衣料、布巾、シーツ、カーテン等が挙げられる。
【００７７】
以上の通り、本発明によれば、（Ｂ）成分を含有することで、良好な洗浄力を発揮しつつ、（Ｃ）成分を含有することで、被洗浄物に柔軟性を付与できる。
加えて、（Ａ）成分を含有することで、被洗浄物への（Ｃ）成分の吸着を促進して、浴比が低くても、柔軟化作用を高められる。特に、浴比が１０以下である低い浴比の条件下において、本発明の効果が顕著に発揮される。
【実施例】
【００７８】
以下、実施例を示して本発明を詳細に説明するが、本発明は以下の記載によって限定されるものではない。
【００７９】
（使用原料）
＜（Ａ）成分：化合物（Ｉ）＞
Ａ−１：カプリル酸２−エチルヘキシル、パステル２Ｈ−０８（商品名）、ライオン株式会社製。
Ａ−２：カプリン酸２−エチルヘキシル（２Ｈ−１０）、下記合成方法により合成したもの。
【００８０】
≪Ａ―２の合成方法≫
５Ｌの四つ口フラスコに、カプリン酸メチルエステル（ライオン株式会社製、商品名；パステルＭ１０）１７００ｇと、２エチルヘキサノール１４２５ｇと、触媒としてｐ−トルエンスルホン酸（関東化学株式会社製）１７ｇとを仕込み、窒素置換を行った。その後、窒素を１ｍＬ／秒の流量で流通させながら、液温が１４０℃になるまで昇温してエステル化反応を行った。反応により生成した水を蒸留により除去した後、０．６ｋＰａまで徐々に減圧しながら２００℃になるまで昇温して粗製物を得た。次いで、粗製物１５００ｇに対し、濾過助剤としてハイフロスーパーセル（商品名、ナカライテスク株式会社製）を２２．５ｇ（粗製物１００質量部に対し１．５質量部）添加し、１０分間攪拌して均一に分散させた後、８０℃で加圧濾過して、カプリン酸２−エチルヘキシルを得た。
【００８１】
Ａ−３：ラウリン酸イソトリデシル（Ｍ１２−ＴＤ）、下記合成方法により合成したもの。
【００８２】
≪Ａ−３の合成方法≫
５Ｌの四つ口フラスコに、ラウリン酸２１１４ｇと、イソトリデカノール（協和発酵ケミカル株式会社製）１４７０ｇと、触媒としてｐ−トルエンスルホン酸（関東化学株式会社製）１７ｇとを仕込み、窒素置換を行った。その後、窒素を１ｍＬ／秒の流量で流通させながら、液温が１４０℃になるまで昇温してエステル化反応を行った。反応により生成した水を蒸留により除去した後、０．６ｋＰａまで徐々に減圧しながら２００℃になるまで昇温し粗製物を得た。次いで、粗製物１５００ｇに対し、濾過助剤としてハイフロスーパーセル（商品名、ナカライテスク株式会社製）を２２．５ｇ（粗製物１００質量部に対し１．５質量部）添加し、１０分間攪拌して均一に分散させた後、８０℃で加圧濾過して、ラウリン酸イソトリデシルを得た。
【００８３】
Ａ−４：カプリン酸トリプロピレングリコールメチルエーテル（Ｍ１０−３ＰＯ）、下記合成方法により合成したもの。
【００８４】
≪Ａ−４の合成方法≫
５Ｌの四つ口フラスコに、カプリン酸メチルエステル（ライオン株式会社製、商品名、パステルＭ１０）１４００ｇと、トリプロピレングリコールモノメチルエーテル（日本乳化剤株式会社製）１８６０ｇと、触媒としてｐ−トルエンスルホン酸（関東化学株式会社製）１７ｇとを仕込み、窒素置換を行った。その後、窒素を１ｍＬ／秒の流量で流通させながら、液温が１４０℃になるまで昇温してエステル化反応を行った。反応により生成した水を蒸留により除去した後、０．６ｋＰａまで徐々に減圧しながら２００℃になるまで昇温し粗製物を得た。次いで、粗製物１５００ｇに対し、濾過助剤としてハイフロスーパーセル（商品名、ナカライテスク株式会社製）を２２．５ｇ（粗製物１００質量部に対し１．５質量部）添加し、１０分間攪拌して均一に分散させた後、８０℃で加圧濾過して、カプリン酸トリプロピレングリコールモノメチルエーテルを得た。
【００８５】
＜（Ｂ）成分：ノニオン界面活性剤＞
Ｂ−１：下記合成方法により合成したもの。天然アルコール（商品名：ＣＯ−１２１４、プロクター・アンド・ギャンブルズ社製）に１５モル相当のエチレンオキシドが付加したもの（ＬＭＡＯ（Ｃ１２／１４−１５ＥＯ））。
【００８６】
≪Ｂ−１の合成方法≫
８６１．２ｇのＣＯ−１２１４と、２．０ｇの３０質量％ＮａＯＨ水溶液とを耐圧型反応容器中に仕込み、容器内を窒素置換した。次に、温度１００℃、圧力２．０ｋＰａ以下で３０分間脱水した後、温度を１６０℃まで昇温した。次いで、反応液を撹拌しながら、エチレンオキシド（ガス状）７６０．６ｇを反応液中に徐々に加えた。この時、吹き込み管を使って、反応温度が１８０℃を超えないように添加速度を調節しながら加えた。エチレンオキシドの添加終了後、温度１８０℃、圧力０．３ＭＰａ以下で３０分間熟成した後、温度１８０℃、圧力６．０ｋＰａ以下で１０分間、未反応のエチレンオキシドを留去した。次に、温度を１００℃以下まで冷却した後、反応物の１質量％水溶液のｐＨが約７になるように、７０質量％ｐ−トルエンスルホン酸を加えて中和し、ＬＭＡＯ（Ｃ１２／１４−１５ＥＯ）を得た。
【００８７】
Ｂ−２：下記合成方法により合成したもの。椰子脂肪酸メチル（質量比でラウリン酸メチル／ミリスチン酸メチル＝８／２の混合物）に対して、アルコキシル化触媒を用いて、１５モル相当のエチレンオキシドを付加したもの（ＭＥＥ（Ｃ１２／１４−１５ＥＯ））。
【００８８】
≪Ｂ−２の合成方法≫
特開２０００−１４４１７９号公報に記載の製造例５（サンプルＤに対応するもの）に準じて合成した。
組成が２．５ＭｇＯ・Ａｌ２Ｏ３・ｎＨ２Ｏである水酸化アルミナ・マグネシウム（商品名：キョーワード３３０、協和化学工業株式会社製）を６００℃で１時間、窒素雰囲気下で焼成して得られた焼成水酸化アルミナ・マグネシウム（未改質）触媒２．２ｇと、０．５Ｎ水酸化カリウムエタノール溶液２．９ｍＬと、ラウリン酸メチルエステル２８０ｇと、ミリスチン酸メチルエステル７０ｇとを４Ｌオートクレーブに仕込み、オートクレーブ内で触媒の改質を行った。次いで、オートクレーブ内を窒素で置換した後、昇温を行い、温度を１８０℃、圧力を３×１０５Ｐａに維持しつつ、エチレンオキシド１０５２ｇを導入し、撹拌しながら反応させた。さらに、反応液を８０℃に冷却し、水１５９ｇと、濾別助剤として活性白土及び珪藻土をそれぞれ５ｇとを添加した後、触媒を濾別し、ＭＥＥ（Ｃ１２／１４−１５ＥＯ）を得た。
【００８９】
Ｂ−３：炭素数１２〜１４の第２級アルコールに、９モル相当のエチレンオキシドを付加したもの、ソフタノール９０（商品名）、株式会社日本触媒製。
Ｂ−４：ペンタノールをガーベット反応に供して得られる炭素数１０のアルコールに９モル相当のエチレンオキシドを付加したもの、Ｌｕｔｅｎｓｏｌ  ＸＰ９０（商品名）、ＢＡＳＦ社製。
Ｂ−５：炭素数１０〜１４の１級アルコールに、平均９モルのエチレンオキシド、平均２モルのプロピレンオキシド、平均９モルのエチレンオキシドを順にブロック付加させたもの（ＥＯＰＯ）。一般式（ｂ−２）におけるＲ１３＝炭素数１０〜１４の直鎖状アルキル基、ｐ＝９、ｑ＝２、ｒ＝９。
【００９０】
＜（Ｃ）成分：カチオン界面活性剤＞
Ｃ−１：Ｃ１２カチオン（ＣｗＨ２ｗ＋１Ｎ＋（ＣＨ３）３Ｃｌ−（ｗ＝１２））、アーカード１２−３７ｗ（商品名）、ライオンアクゾ株式会社製。
Ｃ−２：Ｃ１８カチオン（ＣｗＨ２ｗ＋１Ｎ＋（ＣＨ３）３Ｃｌ−（ｗ＝１６／１８混合品、ｚ＝１６とｚ＝１８との質量比２／８））、アーカードＴ−８００（商品名）、ライオンアクゾ株式会社製。
Ｃ−３：塩化ジデシルメチルアンモニウム、アーカード２１０（商品名）、ライオンアクゾ株式会社製。
Ｃ−４：塩化ベンザルコニウム、アーカードＣＢ（商品名）、ライオンアクゾ株式会社製。
【００９１】
＜（Ｄ）成分：アニオン界面活性剤＞
Ｄ−１：ＬＡＳ；直鎖アルキル（炭素数１０〜１４）ベンゼンスルホン酸、ライポンＬＨ−２００（商品名、ＬＡＳ−Ｈ  純分９６質量％）、平均分子量３２２、ライオン株式会社製。液体洗浄剤の製造時にｐＨ調整剤である水酸化ナトリウムにより中和され、ナトリウム塩となる。
【００９２】
Ｄ−２：ＡＥＳ；下記合成方法で合成したもの。炭素数Ｃ１２〜１３ポリオキシエチレンアルキルエーテル硫酸ナトリウム（エチレンオキシドの平均付加モル数２）。
【００９３】
≪Ｄ−２の合成方法≫
４Ｌのオートクレーブ中に、原料アルコールとしてＮｅｏｄｏｌ２３（商品名、炭素数１２のアルコールと炭素数１３のアルコールとの質量比１／１の混合物、分岐率２０質量％、Ｓｈｅｌｌ社製）４００ｇと、水酸化カリウム触媒０．８ｇとを仕込み、オートクレーブ内を窒素置換し、撹拌しながら昇温した。その後、温度１８０℃、圧力０．３ｍＰａに維持しながらエチレンオキシド２７２ｇを導入し、エチレンオキシドの平均付加モル数２の反応物（アルコールエトキシレート）を得た。
次に、上記で得られたアルコールエトキシレート２８０ｇを撹拌装置付の５００ｍＬフラスコに取り、窒素置換後、液体無水硫酸（サルファン）６７ｇを反応温度４０℃に保ちながらゆっくりと滴下した。滴下終了後、１時間撹拌を続け（硫酸化反応）、ポリオキシエチレンアルキルエーテル硫酸を得た。さらに、これを水酸化ナトリウム水溶液で中和することにより、ＡＥＳを得た。このＡＥＳ（エチレンオキシド付加体の集合物）を構成する全エチレンオキシド付加体中、エチレンオキシドの付加モル数が１〜３モルのエチレンオキシド付加体の合計は３５質量％であった。
【００９４】
Ｄ−３：ＳＡＳ；ＳＡＳ３０、セカンダリーアルカンスルホン酸Ｎａ（商品名）、クラリアント・ジャパン社製。
【００９５】
＜（Ｅ）成分：水混和性有機溶媒＞
Ｅ−１：エタノール、特定アルコール９５度合成（商品名）、日本アルコール販売株式会社製。
Ｅ−２：ブチルカルビトール、日本乳化剤株式会社製。
【００９６】
＜共通成分＞
パラトルエンスルホン酸（ＰＴＳ）：１質量％（協和発酵ケミカル株式会社製）。
モノエタノールアミン：１質量％（株式会社日本触媒製）。
椰子脂肪酸：１質量％（日油株式会社）
パルミチン酸：０．１質量％。
香料：０．５質量％（特開２００２−１４６３９９号公報の表１１〜１８に記載の香料組成物Ａ）。
ブチル化ヒドロキシトルエン（ＢＨＴ）：０．０５質量％。
乳酸：１質量％（純正化学株式会社製）。
緑色３号：０．０００２質量％。
酵素：０．６質量％（コロナーゼ４８Ｌ、ノボザイムズ社製）。
水酸化ナトリウム又は塩酸：中和するための量（０．１〜３質量％）。
クエン酸：０．１質量％（液体クエン酸、一方社油脂工業株式会社製）。
水（精製水）：バランス（液体洗浄剤の量を１００％とするための量）。
【００９７】
（実施例１〜３３、比較例１〜２）
表１〜３の組成に従い、５００ｍＬビーカーに（Ｂ）成分、（Ｄ）成分及び共通成分中の水とを入れ、マグネットスターラー（ＭＩＴＡＭＵＲＡ  ＫＯＧＹＯ  ＩＮＣ．製）で十分に攪拌した。次いで、共通成分中のパラトルエンスルホン酸、モノエタノールアミン、椰子脂肪酸を加えた後、ｐＨ７（２５℃）になるようにｐＨ調整剤（水酸化ナトリウム又は塩酸）を添加した。ｐＨ７に調整した後、（Ａ）成分と、（Ｃ）成分と、酵素以外の共通成分とを加え攪拌しながら、全体量が９５質量％になるように水を入れ、さらによく攪拌した。共通成分中の酵素を加え、さらに表中に示されたｐＨになるようにｐＨ調整剤（水酸化ナトリウム又は塩酸）を添加し、全体量が１００質量％になるように精製水を加えて、各例の液体洗浄剤を得た。得られた液体洗浄剤について、液安定性、柔軟化作用を評価し、その結果を表中に示す。ただし、実施例１と実施例２は参考例である。
【００９８】
（評価方法）
＜液安定性＞
プラスチック容器（縦５ｃｍ×横５ｃｍ×高さ３ｃｍ）に各例の液体洗浄剤１０ｇを入れ、温度２５℃、湿度３０％ＲＨの恒温室にて２４時間放置した。２４時間放置した後、下記評価基準に従って液安定性を評価し、「○」以上を合格とした。
＜評価基準＞
◎：均一透明で流動性がある。
○：にごりが見られるが流動性がある。
△：内容物表層に被膜があるが流動性がある。
×：ゲル化又は固化し、流動性がない。
【００９９】
＜柔軟化作用＞
≪柔軟化作用Ａ≫
柔軟化作用Ａは、高い浴比（浴比＝６０）の条件下で洗浄することを想定したモデル試験である。
被洗浄物として３枚の市販の木綿タオル（綿１００％）を二槽式洗濯機（商品名：ＣＷ−Ｃ３０Ａ１、三菱電機株式会社製）に入れた。次いで、水道水１２Ｌに表１〜３に示す使用量の液体洗浄剤を溶解して洗浄液とし、この洗浄液を前記二槽式洗濯機に入れ、弱水流で、洗浄時間１０分間、脱水１分間、すすぎ（２回繰返し、各５分間）及び脱水１分間を１工程とした洗濯操作を行った。用いた水道水の温度は、２５℃であった。この洗濯操作を５回繰り返した。１工程の洗濯操作で処理した木綿タオルを１２時間陰干しした。その後、当該木綿タオルを２５℃、湿度６５％ＲＨの恒温恒湿室に２日間放置した。以上の処理を施した木綿タオルを試験布として、柔軟化作用を評価した。
なお、ノニオン界面活性剤（ラウリルアルコール１モルあたり平均１５モルのエチレンオキシドを付加させたアルコールエトキシレート）の２０質量％水溶液１２ｍＬを液体洗浄剤として用い、上記の洗濯操作と同様に処理した木綿タオルを評価対照布とした。柔軟化作用の評価は、下記の評価基準に従って、前記評価対照布との一対比較を官能により行った。専門パネラー１０人の平均値を求め、◎：４点以上、○：３．５点以上４点未満、△：３点以上３．５点未満、×：３点未満とした。「◎」、「○」、「△」を合格と判定した。
【０１００】
［評価基準］
１点：対照布の方が柔らかい。
２点：対照布と同等である。
３点：対照布よりやや柔らかい。
４点：対照布より柔らかい。
５点：対照布よりかなり柔らかい。
【０１０１】
≪柔軟化作用Ｂ≫
柔軟化作用Ｂは、低い浴比（浴比＝８）の条件下で洗浄することを想定したモデル試験である。
被洗浄物として１８枚の木綿タオルを用いた以外は、「≪柔軟化作用Ａ≫」と同様にして評価し、その結果を表中に示す。
【０１０２】
【表１】
0006055672.tif 000005
【０１０３】
【表２】
0006055672.tif 000006
【０１０４】
【表３】
0006055672.tif 000007
【０１０５】
本発明を適用した実施例１〜３３は、液安定性が「○」又は「◎」であり、柔軟化作用Ａが「○」又は「◎」であり、かつ柔軟化作用Ｂが「△」又は「○」であった。
実施例３と実施例１２との比較から、（Ｄ）成分を含有する実施例３は、（Ｄ）成分を含有しない実施例１２に比べて柔軟化作用Ａ及びＢが高まっていた。実施例３、２６〜２８の比較から、Ｅ／Ａ比が１〜１０である実施例３、２７、２８は、Ｅ／Ａ比が１４である実施例２６に比べて、液安定性が高まっていた。
一方、（Ａ）成分を含有しない比較例２は、柔軟化作用Ｂが「×」であり、液安定性が「△」であった。
以上の結果から、本発明を適用することで、低い浴比でも、優れた柔軟化作用を発揮できることが判った。